(57)【要約】【課題】半リング部分の閉鎖位置での固定を容易かつ確実に行うことのできるルーズリーフ綴具を提供する。【解決手段】この発明のルーズリーフ綴具１は、各基板２ａ、２ｂの、軸部４の周りでの回動変位により、複数対の半リング部分３ａ、３ｂを、対をなす該半リング部分３ａ、３ｂのそれぞれの先端部が互いに近接してリング形状を形成する閉鎖位置と、それぞれの先端部が互いに離隔する開放位置との間で移動可能に構成してなるものであって、基板２ａ、２ｂの長手方向に隣接する前記軸受け筒部５ａ、５ｂの相互間に、それぞれの基板２ａ、２ｂの、長手方向に沿う相対変位を許容する間隙Ｇを設けるとともに、前記基板２ａ、２ｂの裏面Ｂ側に、二枚の基板２ａ、２ｂの相互を長手方向に沿って付勢するコイルばね６を設け、前記基板２ａ、２ｂのそれぞれの表面Ｆに、コイルばね６の付勢力に基いて互いに引っ掛かって、半リング部分３ａ、３ｂを前記閉鎖位置に維持する、少なくとも一対の引掛け係合部７ａ、７ｂを設けてなる。【選択図】図４
2014205324.tif 000002
【特許請求の範囲】
【請求項１】
互いに平行して延びるとともに隣り合わせに配置した二枚の基板と、前記基板のそれぞれに一体に形成されて、該基板の表面側に延びるとともに相互に共同してリング形状をなす複数対の半リング部分と、前記基板の裏面側に配置した、該基板と平行に延びる軸部と、前記基板の裏面側に、前記軸部を取り囲んで各基板と一体に設けられて、該軸部の周りでの各基板の回動変位を可能にする軸受け筒部とを具え、
各基板の、軸部の周りでの回動変位により、複数対の半リング部分を、対をなす該半リング部分のそれぞれの先端部が互いに近接してリング形状を形成する閉鎖位置と、それぞれの先端部が互いに離隔する開放位置との間で移動可能に構成してなるルーズリーフ綴具であって、
基板の長手方向に隣接する前記軸受け筒部の相互間に、それぞれの基板の、長手方向に沿う相対変位を許容する間隙を設けるとともに、前記基板の裏面側に、二枚の基板の相互を長手方向に沿って付勢するコイルばねを設け、前記基板のそれぞれの表面に、コイルばねの付勢力に基いて互いに引っ掛かって、半リング部分を前記閉鎖位置に維持する、少なくとも一対の引掛け係合部を設けてなる、ルーズリーフ綴具。
【請求項２】
二枚の基板のそれぞれに設けた対をなす前記引掛け係合部のそれぞれの側面に、相互の当接状態で、半リング部分を閉鎖位置もしくは開放位置へ案内するそれぞれの滑り面を設けてなる、請求項１に記載のルーズリーフ綴具。
【請求項３】
前記引掛け係合部を基板と一体に形成してなる、請求項１または２に記載のルーズリーフ綴具。
【請求項４】
前記コイルばねに、軸部の周りでの基板の回動方向で、半リング部分が前記開放位置に移動する向きに付勢する一対の脚部を設け、該脚部のそれぞれを各基板の内側面のそれぞれに当接させて配置してなる、請求項１〜３のいずれか一項に記載のルーズリーフ綴具。
【請求項５】
前記基板の長手方向の少なくとも一端側に、半リング部分の開閉操作に当り、使用者による挟持に供される摘み部分を設けてなる、請求項１〜４のいずれか一項に記載のルーズリーフ綴具。
【請求項６】
前記半リング部分の開放位置での、対をなす半リング部分の、軸部の中心軸線を中心とする開き角度θを、９０°〜１８０°の範囲としてなる、請求項１〜５のいずれか一項に記載のルーズリーフ綴具。
【請求項７】
前記軸部を、基板の一端側から他端側まで延在する一本としてなる、請求項１〜６のいずれか一項に記載のルーズリーフ綴具。
【発明の詳細な説明】
【技術分野】
【０００１】
この発明は、互いに平行な二枚の基板のそれぞれが、それらの裏面側に配置した軸部の周りで回動変位することにより、各基板の表面側に一体形成した複数対の半リング部分を、それらのそれぞれの先端部が互いに近接してリング形状を形成する閉鎖位置と、それぞれの先端部が互いに離隔する開放位置との間で移動可能に構成してなるルーズリーフ綴具に関するものであり、特には、半リング部分の開閉操作を容易なものとし、また、半リング部分を閉鎖位置で確実に固定することのできる技術を提案するものである。
【背景技術】
【０００２】
この種の綴具として従来は、特許文献１に記載されているように、二枚の基板と、それらの基板のそれぞれに一体形成されて、基板の表面側で半円環状に延びる半リング部分と、基板の裏面側に配置されて基板と平行な軸部と、二枚の基板のそれぞれに、前記の軸部を取り囲む態様で設けた軸受け筒部とを具えるものがある。
かかる綴具は、二枚の基板のそれぞれを、前記軸部の周りで回動変位させることにより、該基板の回動変位に伴って、それぞれの基板に一体形成した半リング部分を、それぞれの先端部が互いに離隔する開放位置と、先端部が互いに接近する閉鎖位置との間で移動可能としたものであり、とりわけ、特許文献１に記載されたこの綴具では、それに綴じたルーズリーフ用紙のそれぞれが、閉鎖位置で対をなす半リング部分によって形成されるリング形状に沿って略３６０°回転することができる。
【０００３】
ところで、特許文献１に記載された綴具では、それぞれの半リング部分の各先端部に、対をなす半リング部分が閉鎖位置に移動した際に相互に引っ掛かる鉤状の「綴杆係止部」を形成し、それらの各「綴杆係止部」により、対をなす半リング部分の相互を閉鎖位置で固定することとしている。
【先行技術文献】
【特許文献】
【０００４】
【特許文献１】特開２０１１−２２４８６９号公報
【発明の概要】
【発明が解決しようとする課題】
【０００５】
しかるに、上記の綴具では、半リング部分を閉鎖位置でロックする際に、それぞれの基板の表面側に半円環状に延びる半リング部分の先端部に形成した「綴杆係止部」だけで、半リング部分を固定するものとし、そして、この「綴杆係止部」は、半リング部分の、使用者が操作する基板から離れて位置する先端部に形成されていることから、たとえば、二枚の基板間の、使用に伴って生じる位置ずれや、基板その他の部材の成形精度のいかん等に起因して、対をなす「綴杆係止部」の相互で引っ掛けることが困難となる場合があり、それ故に、半リング部分の閉鎖位置での固定による、ルーズリーフ用紙の保持を確実に行い得ることの保証がないという問題があった。
【０００６】
この発明は、先に述べた従来技術が抱えるこのような問題を解決することを課題とするものであり、それの目的とするところは、半リング部分の閉鎖位置での固定を容易かつ確実に行うことのできるルーズリーフ綴具を提供することにある。
【課題を解決するための手段】
【０００７】
この発明のルーズリーフ綴具は、互いに平行して延びるとともに隣り合わせに配置した二枚の基板と、前記基板のそれぞれに一体に形成されて、該基板の表面側に延びるとともに相互に共同してリング形状をなす複数対の半リング部分と、前記基板の裏面側に配置した、該基板と平行に延びる軸部と、前記基板の裏面側に、前記軸部を取り囲んで各基板と一体に設けられて、該軸部の周りでの各基板の回動変位を可能にする軸受け筒部とを具え、各基板の、軸部の周りでの回動変位により、複数対の半リング部分を、対をなす該半リング部分のそれぞれの先端部が互いに近接してリング形状を形成する閉鎖位置と、それぞれの先端部が互いに離隔する開放位置との間で移動可能に構成してなるルーズリーフ綴具であって、基板の長手方向に隣接する前記軸受け筒部の相互間に、それぞれの基板の、長手方向に沿う相対変位を許容する間隙を設けるとともに、前記基板の裏面側に、二枚の基板の相互を長手方向に沿って付勢するコイルばねを設け、前記基板のそれぞれの表面に、コイルばねの付勢力に基いて互いに引っ掛かって、半リング部分を前記閉鎖位置に維持する、少なくとも一対の引掛け係合部を設けてなるものである。
【０００８】
この発明のルーズリーフ綴具では、二枚の基板のそれぞれに設けた対をなす前記引掛け係合部のそれぞれの側面に、相互の当接状態で、半リング部分を閉鎖位置もしくは開放位置へ案内するそれぞれの滑り面を設けることが好ましい。このような引掛け係合部は、基板とは別個の部材として該基板の表面に取り付けることも可能であるが、たとえば樹脂材料からなる基板と一体に形成することが好ましい。
【０００９】
また、この発明のルーズリーフ綴具では、前記コイルばねに、軸部の周りでの基板の回動方向で、半リング部分が前記開放位置に移動する向きに付勢する一対の脚部を設け、該脚部のそれぞれを各基板の内側面のそれぞれに当接させて配置することが好ましい。
そしてまた、前記基板の長手方向の少なくとも一端側に、半リング部分の開閉操作に当り、使用者による挟持に供される摘み部分を設けることが好ましい。
【００１０】
なお、この発明では、前記半リング部分の開放位置での、対をなす半リング部分の、軸部の中心軸線を中心とする開き角度θを、９０°〜１８０°の範囲とすることが好ましい。
また好ましくは、前記軸部を、基板の一端側から他端側まで延在する一本とする。
【発明の効果】
【００１１】
この発明のルーズリーフ綴具によれば、前記基板のそれぞれの表面に、コイルばねによる基板の長手方向の付勢力に基いて互いに引っ掛かって、半リング部分を前記閉鎖位置に維持する、少なくとも一対の引掛け係合部を設けたことにより、半リング部分を開閉操作するに当って、基板を軸部周りに回動変位させる際に、一般に、半リング部分側ではなく基板側を狭持する使用者が、基板に近接して位置する対をなす引掛け係合部の相互を、容易に引っ掛けることができ、それにより、半リング部分の固定操作が容易なものとなって、半リング部分を閉鎖位置で確実に固定することができる。
なおここでは、半リング部分の先端部に、基板表面に設けた上記の引掛け係合部に加えて、先述の従来技術でいう「綴杆係止部」のような、対をなす半リング部分の相互を閉鎖位置で固定するロック手段を設けることも可能であり、半リング部分の先端部形状の設計自由度を高めることができる。
【００１２】
ここで、対をなす引掛け係合部のそれぞれの側面に、相互の当接状態で、半リング部分を閉鎖位置もしくは開放位置へ案内するそれぞれの滑り面を設けたときは、対をなす引掛け係合部が互いに近接した状態で、それらの引掛け係合部のそれぞれの滑り面は相互に滑って、半リング部分および基板の変位をもたらし、半リング部分を閉鎖位置もしくは開放位置へ誘導することになるので、半リング部分の開閉操作をより一層容易なものとすることができる。
【００１３】
このような引掛け係合部を、基板と一体に形成したときは、ルーズリーフ綴具の量産が容易となって、生産性を大きく向上させることができる。
【００１４】
ところで、上記のコイルばねに、軸部の周りでの基板の回動方向で、半リング部分が開放位置に移動する向きに付勢する一対の脚部を設けて、それぞれの脚部を各基板の内側面のそれぞれに当接させて配置したときは、先に述べた引掛け係合部の引掛け姿勢を解除することにより、半リング部分が、いわゆるねじりコイルばねとしても機能するコイルばねの脚部の当該付勢力に基いて自動的に、開放位置へ移動することになるので、半リング部分の開閉操作をさらに容易なものとして、すぐれた操作性を実現することができる。
【００１５】
ここで、前記基板の長手方向の少なくとも一端側に、半リング部分の開閉操作に当り、使用者による挟持に供される摘み部分を設けた場合は、使用者が、半リング部分の開閉操作を行うに際し、基板を軸部の周りで容易に回動変位させることができる。
【００１６】
またここで、対をなす前記半リング部分の開放位置での、それらの半リング部分の、軸部の中心軸線を中心とする開き角度θを、９０°〜１８０°の範囲としたときは、半リング部分を開放位置へ移動させた際の、ルーズリーフ用紙の、半リング部分に対する着脱を容易に行うことができる。
これをいいかえれば、半リング部分の開き角度を９０°未満とした場合は、対をなす半リング部分のそれぞれの先端部間の間隔が狭いことによって、ルーズリーフ用紙の着脱が困難となるおそれがあり、この一方で、各半リング部分の回転角度を１８０°を超えるものとした場合は、半リング部分が大きく開きすぎることによって、半リング部分を開放位置へ移動させた際に、そこに綴じられていたルーズリーフ用紙が、意図せずして外れる可能性がある。
【００１７】
なお、軸部を、基板の一端側から他端側まで延在する一本とした場合は、基板の、軸部の周りの回動変位を常に安定した姿勢で行わせることができる。
【図面の簡単な説明】
【００１８】
【図１】この発明のルーズリーフ綴具の一の実施形態について示す正面図および右側面図である。
【図２】図１のルーズリーフ綴具の背面図および左側面図である。
【図３】図１のルーズリーフ綴具の、半リング部分が開放位置から閉鎖位置に至る途中までの各状態を示す要部拡大斜視図である。
【図４】図３に続く各状態を示す要部拡大斜視図である。
【図５】図１のルーズリーフ綴具の長手方向の中央部分を、半リング部分が開放位置に移動した状態で示す拡大正面図である。
【図６】図１のルーズリーフ綴具に設けることのできるコイルばねを、綴具から取り出して示す正面図および平面図である。
【図７】ルーズリーフ綴具に設けることのできるコイルばねの変形例を示す、ルーズリーフ綴具の要部拡大斜視図である。
【図８】図１（ａ）のＶＩＩＩ−ＶＩＩＩ線に沿う断面図および、半リング部分が開放位置に移動した状態での同様の図である。
【図９】図１のルーズリーフ綴具の一端部の拡大背面図および、その一端部の変形例を示す同様の図である。
【図１０】図１のルーズリーフ綴具の、半リング部分の先端部の変形例を、該半リング部分が閉鎖位置に至る直前の各状態で示す要部拡大斜視図である。
【発明を実施するための形態】
【００１９】
以下に図面を参照しつつ、この発明の実施の形態について説明する。
図１及び２に例示するルーズリーフ綴具１は、図では上下方向に沿って互いに平行に延びるとともに、相互に隣接配置した二枚の基板２ａ、２ｂと、それらの基板２ａ、２ｂのそれぞれに一体に形成されて、たとえば各基板２ａ、２ｂの外側面Ｓ１から表面Ｆ側に半円環状に延びる複数対の半リング部分３ａ、３ｂと、基板２ａ、２ｂの裏面Ｂ側に配置した、基板２ａ、２ｂと平行に延びる軸部４と、それぞれの基板２ａ、２ｂの裏面Ｂに、軸部４を取り囲む態様で各基板２ａ、２ｂに一体形成されて、たとえば、内部に軸部４が配置される中空筒型のそれぞれの軸受け筒部５ａ、５ｂとを具えてなる。
【００２０】
なおここでは、二枚の基板２ａ、２ｂのうち、図１（ａ）の正面図で図の左側に位置するものを一方の基板２ａとするとともに、同図の右側に位置するものを他方の基板２ｂとし、そして、一方の基板２ａ側の半リング部分３ａと、基板２ａ、２ｂの長手方向に直交する同図の左右方向に該半リング部分３ａに隣接して位置する、他方の基板２ｂ側の半リング部分３ｂとを一対として、それらを、基板２ａ、２ｂの長手方向に沿って、所要の間隔をおいて複数対並べて配置している。
また、図示の実施形態では、図１（ｂ）および図２（ｂ）に側面図で示すところから明らかなように、一方の基板２ａに一体形成した複数の軸受け筒部５ａと、他方の基板２ｂ側に一体形成した複数の軸受け筒部５ｂとのそれぞれを、基板２ａ、２ｂの長手方向に沿って、互い違いに配置している。
【００２１】
そしてまた、この綴具１では、たとえば金属材料もしくは樹脂材料等からなる一本の軸部４は、中心軸線が共通となるように同軸に配置した各軸受け筒部５ａ、５ｂの内側を通過して延在するものとし、この軸部４は、一方の基板２ａと他方の基板２ｂとを、それらのそれぞれの軸受け筒部５ａ、５ｂで互いに連結するべく機能する。なお、図示は省略するが、軸部は、基板の長手方向に分割された二本以上とすることもでき、この場合は、たとえば、複数本の軸部のそれぞれを、軸受け筒部５ａ、５ｂのそれぞれに一体形成することも可能である。
【００２２】
このような綴具１の構成によれば、単一の軸部４が通過するそれぞれの軸受け筒部５ａ、５ｂと一体をなす各基板２ａ、２ｂを、軸部４の周りで回動変位させることができ、この回動変位に伴って、各基板２ａ、２ｂに設けた半リング部分３ａ、３ｂが、図３および図４に示すように、図３（ａ）に示すような、半リング部分３ａ、３ｂのそれぞれの先端部が離隔する開放位置と、図４（ｃ）に示すような、対をなす半リング部分３ａ、３ｂのそれぞれの先端部が近接するとともに当接してリング形状を形成する閉鎖位置との間を移動することができる。それにより、半リング部分３ａ、３ｂの開放位置では、図示しないルーズリーフ用紙の側部に設けられる複数の貫通孔に、半リング部分３ａ、３ｂを先端部から挿入するか、あるいは、半リング部分３ａ、３ｂを貫通孔に挿入されたルーズリーフ用紙を、半リング部分３ａ、３ｂから取り外すことにより、図示しないルーズリーフ用紙の、綴具１からの着脱が可能となり、また、ルーズリーフ用紙の貫通孔に半リング部分３ａ、３を挿入した状態で、半リング部分３ａ、３ｂを閉鎖位置に移動させることにより、一枚以上のルーズリーフ用紙を綴じることができる。
【００２３】
ここにおいて、半リング部分３ａ、３ｂをその閉鎖位置でロック可能とするため、この発明では、図２（ａ）に背面図で示すところから解かるように、基板２ａ、２ｂの長手方向に互いに隣接する、一方の基板２ａ側の軸受け筒部５ａと、他方の基板２ｂ側の軸受け筒部５ｂとの間に、所要の大きさの間隙Ｇを設けて、二枚の基板２ａ、２ｂを、それらの各軸受け筒部５ａ、５ｂの相互間での干渉なしに、長手方向に沿って相対変位可能とする。
【００２４】
そしてここでは、基板２ａ、２ｂの裏面Ｂ側で、たとえば、互いに隣接する軸受け筒部５ａ、５ｂの相互間の間隙Ｇのうちの一つに、コイルばね６を挟み込んで配設し、このコイルばね６により、基板２ａ、２ｂの相互を長手方向に沿って付勢させるとともに、各基板２ａ、２ｂの表面Ｆに、図１（ａ）に示すように、半リング部分３ａ、３ｂの閉鎖位置で、前記のコイルばね６の付勢力に基いて互いに引っ掛かって、半リング部分３ａ、３ｂを閉鎖位置に維持するそれぞれの引掛け係合部７ａ、７ｂを、それぞれの基板２ａ、２ｂと一体に、または該基板２ａ、２ｂとは別体として設ける。
【００２５】
このことによれば、図３（ａ）に示す、半リング部分３ａ、３ｂの開放位置から、二枚の基板２ａ、２ｂを、コイルばね６の、長手方向の付勢力に抗して、図３（ｂ）に矢印で示す向きに相対変位させつつ、二枚の基板２ａ、２ｂを、軸部４の周りで回動変位させることにより、図３（ｃ）に示すように、対をなす半リング部分３ａ、３ｂが、基板２ａ、２ｂの長手方向に互いに若干ずれた姿勢で、それらのそれぞれの先端部が互いに接近し、それに伴い、基板２ａ、２ｂのそれぞれの表面Ｆに設けた引掛け係合部７ａ、７ｂもまた互いに接近して、それらの引掛け係合部７ａ、７ｂの側面に設けた滑り面８ａ、８ｂで当接することになる。
【００２６】
その後、基板２ａ、２ｂのさらなる回動変位により、図４（ａ）に示すように、引掛け係合部７ａ、７ｂのそれぞれの滑り面８ａ、８ｂが滑って、各基板２ａ、２ｂが長手方向に沿ってさらに相対変位するとともに、図４（ｂ）に示すように、半リング部分３ａ、３ｂが閉鎖位置に案内され、そして、図４（ｃ）に示すように、コイルばね６の付勢力に基いて、基板２ａ、２ｂが元の位置に相対変位することで、対をなす半リング部分３ａ、３ｂが、長手方向の互いに整列した位置で閉じるとともに、引掛け係合部７ａ、７ｂの相互が引っ掛かって、半リング部分３ａ、３ｂが閉鎖位置でロックされることになる。
【００２７】
一方、半リング部分３ａ、３ｂの閉鎖位置でのロック状態を解除するには、図４（ｃ）に示す閉鎖位置から、基板２ａ、２ｂを長手方向に沿って相対変位させるとともに、基板２ａ、２ｂを軸部４の周りで回動変位させることで、図４（ｂ）および（ａ）に示す状態から、図３（ｃ）および（ｂ）に示す各状態を順次に経て、図３（ａ）に示すように、半リング部分３ａ、３ｂを開くことができる。
【００２８】
ここで、図示の実施形態では、基板２ａ、２ｂの表面に設ける対をなす引掛け係合部７ａ、７ｂのそれぞれを、図３（ｃ）に示すような、半リング部分３ａ、３ｂの閉鎖位置で、隣接する基板２ｂ、２ａ側に向けて延びるとともに、その延在途中で基板２ａ、２ｂの長手方向に互いに逆向きに折れ曲がる先細りの鉤状をなす平板形状としているも、引掛け係合部７ａ、７ｂは、コイルばね６の長手方向の付勢力によって互いに引っ掛かる形状であれば、図示の形状に限定されるものではない。
【００２９】
またここで、引掛け係合部７ａ、７ｂのそれぞれの、隣接する基板２ｂ、２ａ側を向く側面には、図３、４に示すような、基板２ａ、２ｂの長手方向に対して傾斜する姿勢で、対をなす引掛け係合部７ｂ、７ａ側を向く湾曲面もしくは平坦面からなる滑り面８ａ、８ｂを設けることが好ましい。これによれば、上述したように、半リング部分３ａ、３ｂを開放位置もしくは閉鎖位置に移動させる際に、対をなす引掛け係合部７ａ、７ｂのそれぞれの滑り面８ａ、８ｂが互いに滑って、その移動を案内するべく機能することにより、半リング部分３ａ、３ｂの開閉操作が一層容易となる。
【００３０】
そしてまたここでは、引掛け係合部７ａ、７ｂのそれぞれを、射出成形等により、たとえば樹脂製の各基板２ａ、２ｂに一体に成形して、それぞれの基板２ａ、２ｂと一体化させている。このことは、別個の部材としての引掛け係合部を基板に張り付ける場合に比して、工数が削減されて綴具１の生産能率を向上させることができる点で好ましい。
但し、引掛け係合部を別個の部材として、基板２ａ、２ｂに、接着剤等の使用によって固定ないし固着させて取り付けることもできる。引掛け係合部７ａ、７ｂを基板２ａ、２ｂに一体成形する場合は、それらを成形する金型成形面の形状を変更する必要があるが、別個の部材としての引掛け係合部７ａ、７ｂを基板２ａ、２ｂに取り付ける場合は、そのような金型形状の変更を要しないので、製造コストの増大を小さく抑えることができる。
【００３１】
ところで、上述したように、二枚の基板の相互を長手方向に沿って付勢するコイルばね６は、複数個設けることも可能であるが、ここでは、一個のコイルばね６を、図５に拡大正面図で示すように、基板２ａ、２ｂの長手方向の中央部分に配設している。
そして、このコイルばね６は、図６（ａ）および（ｂ）に、綴具１から取り出して示すところから明らかなように、金属線を螺旋状に延在させてなる本体部６ａの、軸線方向の両端部のそれぞれに、たとえば、前記金属線をコイル外周よりも半径方向外側に向けて直線状に延在させて形成した脚部６ｂ、６ｃのそれぞれを設けることができる。この場合、それぞれの脚部６ｂ、６ｃを、図５に示すように、各基板２ａ、２ｂの、半リング部分３ａ、３ｂの閉鎖位置で互いに近接して対向する内側面Ｓ２のそれぞれに当接させて配置し、そのコイルばね６によって、半リング部分３ａ、３ｂを開放位置へ移動させるべく、基板２ａ、２ｂを付勢することが好ましい。
【００３２】
コイルばね６のこのような構成により、図４（ｃ）に示す閉鎖位置から、基板２ａ、２ｂの相互を長手方向に沿って相対変位させる操作を行うだけで、コイルばね６の脚部６ｂ、６ｃが基板２ａ、２ｂを内側面Ｓ２側から押し広げるべく付勢して、図４（ｂ）および（ａ）ならびに図３（ｃ）および（ｂ）の順序で、それらのそれぞれに示す各位置を経て、基板２ａ、２ｂが、軸部４の周りで回動変位するとともに、半リング部分３ａ、３ｂが開いて、図３（ａ）に示す開放位置へ自動的に移動することになる。それにより、半リング部分３ａ、３ｂを開く操作が極めて容易となる。半リング部分３ａ、３ｂを開放位置から閉鎖位置へ移動させるには、コイルばね６の脚部６ｂ、６ｃの付勢力に抗して、基板２ａ、２ｂを軸部４の周りで回動変位させることにより行うことができる。
【００３３】
この一方で、この発明のルーズリーフ綴具１では、図７に斜視図で示すように、上述したような脚部６ｂ、６ｃを有しない一般的なコイルばね２６を配設することも可能である。この場合、脚部を有しないコイルばね２６は、二枚の基板２ａ、２ｂの相互を長手方向に沿って付勢して、半リング部分３ａ、３ｂの閉鎖位置で、引掛け係合部７ａ、７ｂを互いに引っ掛けるべく機能する一方で、上記の脚部６ｂ、６ｃ付きのコイルばね６のような、基板２ａ、２ｂを押し広げる機能は有しない。なお実際の使用状態では、図７に示すような、脚部無しのコイルばね２６を設けたルーズリーフ綴具であっても、引掛け係合部７ａ、７ｂの係合状態を解除するだけで、半リング部分３ａ、３ｂに綴じたルーズリーフ用紙や表紙等の自重によって、半リング部分３ａ、３ｂが開放位置へ自動的に移動することがある。脚部を有しないコイルばね２６を用いる場合は、基板２ａ、２ｂの内側面Ｓ２に、脚部を位置決め配置するための、図３に示すような溝部を形成することが不要になるとともに、綴具１を製造する際の、各構成部材の組立てが容易になるとの利点がある。
【００３４】
なお、図示の実施形態では、コイルばね６を、それぞれの基板２ａ、２ｂに一体形成した各軸受け筒部５ａ、５ｂの相互間の間隙Ｇの一つに配置しているが、図示は省略するが、基板２ａ、２ｂの裏面Ｂ側に、軸受け筒部５ａ、５ｂとは異なる部分としてのばね受け部を設けて、そこにコイルばね６を配置することも可能である。
【００３５】
このような綴具１では、半リング部分３ａ、３ｂが、図８（ａ）に示す閉鎖位置から、図８（ｂ）に示す開放位置まで移動した際に、半リング部分３ａ、３ｂが最も大きく開いたその開放位置での、対をなす半リング部分３ａ、３ｂの開き角度θを、軸部４の中心軸線Ｃの周りで測って、９０°〜１８０°の範囲とすることが好ましい。開き角度θを、この範囲内とすることで、図示しないルーズリーフ用紙の、綴具１に対する着脱を、何の不自由もなしに行うことができるとともに、半リング部分の開放位置での、ルーズリーフ用紙の意図しない外れを有効に防止することができる。
半リング部分３ａ、３ｂのこのような開き角度θに合わせて、図６（ｂ）に示すようなコイルばね６のそれぞれの脚部６ｂ、６ｃが相互になす角度を適宜設定することができる。
【００３６】
なお、この発明では、図９（ａ）に拡大背面図で示すように、基板２ａ、２ｂの長手方向の少なくとも一端側に、半リング部分３ａ、３ｂを開閉する際に使用者が狭持する摘み部分２ｃ、２ｄを設けることが好ましい。
【００３７】
より詳細には、図示の綴具１においては、それの一端部（ここでは下端部）では、図９（ａ）に示すように、一方の基板２ａに設けた最も一端側の軸受け筒部５ａの一端に、上記の摘み部分２ｃを、該一端を覆って設け、この一方で、綴具１の他端部（ここでは上端部）では、詳細は図示しないが、他方の基板２ｂの最も他端側の軸受け筒部５ｂの他端に、摘み部分２ｄを、該他端を覆って設けている。そして、最も一端側の軸受け筒部５ａは、図９（ａ）に示すように、それに隣接する、他方の基板２ｂ側の軸受け筒部５ｂとの間に、所要の大きな間隙Ｇを設けて配置されており、このことは、綴具１の他端部側の、最も他端側の軸受け筒部５ｂについても同様である。
図９（ａ）に示す構造によれば、半リング部分３ａ、３ｂが閉じた状態で、使用者が、それぞれの摘み部分２ｃ、２ｄを狭持するとともに、各摘み部分２ｃ、２ｄを、図９（ａ）に白抜き矢印で示すように、綴具１の長手方向の中央に向けて押すことで、最も一端側の、上記の大きな間隔Ｇが狭まる向きに基板２ａ、２ｂを相対変位させて、引掛け係合部７ａ、７ｂの係合状態を解除することができる。
【００３８】
一方、図９（ｂ）に示す変形例では、綴具１の一端部で、最も一端側の軸受け筒部２５ｂが、他方の基板２ｂ側に形成されており、また、その軸受け筒部２５ｂと、それに隣接する、一方の基板２ａ側の軸受け筒部２５ａとの間の間隙Ｇは極めて小さい。図示は省略するが、綴具１の他端部も、上記の一端部と同様の構造を有する。
この場合、使用者は、綴具１の両端部に設けた摘み部分２ｃを、図９（ｂ）に白抜き矢印で示すように、綴具１の長手方向の外側に向けて引っ張ることで、上記の小さな間隙Ｇが広がる向きに基板２ａ、２ｂを相対変位させて、引掛け係合部７ａ、７ｂの係合状態を解除することができる。
【００３９】
以上に述べたようなルーズリーフ綴具１によれば、上述した引掛け係合部７ａ、７ｂを設けたことにより、ルーズリーフ用紙を綴具１に綴じるための、半リング部分の閉鎖位置での固定を極めて容易に、かつ確実に行うことができるので、すぐれた操作性を実現することができ、しかも、半リング部分３ａ、３ｂの先端部の設計自由度を高めることができる。上述した実施形態は、対をなす半リング部分３ａ、３ｂの先端部に、それらのそれぞれで、軸線方向の一方側と他方側の半部を互い違いに切り欠いて形成した切欠き部分３ｃ、３ｄのそれぞれが、図４に示すように、半リング部分３ａ、３ｂの閉鎖位置で互いに整合して、半リング部分３ａ、３ｂによるリング形状が形成されるものとしている。
【００４０】
一方、図１０に示す変形例のように、半リング部分３ａ、３ｂの先端部に、互いに接近したそれらの先端部を互いに係合させて、半リング部分３ａ、３ｂを閉鎖位置で固定するリングロック手段９を設けること可能である。
【００４１】
かかるリングロック手段９を、図１０に示す変形例を一例として詳説すれば、この変形例では、対をなす半リング部分３ａ、３ｂのそれぞれの先端部を、軸線方向の一方側と他方側の半部で互い違いに切り欠くとともに、一方の半リング部分３ａ、３ｂでは、当該切欠き部分の、基端部側で若干残した内周部分１０の外周面に、軸線方向と平行に延びて外周側に突出する凸部１１を設ける一方で、他方の半リング部分３ｂ、３ａでは、前記切欠き部により形成された突出部１２の内周面に、前記凸部１１と同様に軸線方向と平行に延びるとともに外周側に向けて窪む凹部１３を設けて、それらの凸部１１および凹部１３とで、リングロック手段９を構成する。なお、図示のように、凸部１１もしくは凹部１３のいずれを、一方もしくは他方の半リング部分３ａ、３ｂ側に設けるかについては、基板２ａ、２ｂの長手方向に隣り合う半リング部分対の相互で異なるものとすることができる。
【００４２】
かかるリングロック手段９によれば、図１０（ａ）および（ｂ）に示すように、基板２ａ、２ｂを軸部４の周りで回動変位させて、引掛け係合部７ａ、７ｂのそれぞれの滑り面８ａ、８ｂが滑ることによって、対をなす半リング部分３ａ、３ｂの相互が、長手方向に互いにずれた姿勢で接近した後、コイルばね６の、長手方向に沿う付勢力により、基板２ａ、２ｂが長手方向に相対変位して、引掛け係合部７ａ、７ｂが相互に引っ掛かる際に、他方の半リング部分３ｂ、３ａの先端部に設けた凹部１３内で、一方の半リング部分３ａ、３ｂの先端部に設けた凸部１１が入り込んで長手方向に摺動変位することで、半リング部分３ａ、３ｂの閉鎖位置では、それらの凸部１１と凹部１３とが係合することになるので、半リング部分３ａ、３ｂを閉鎖位置で固定することができる。
【符号の説明】
【００４３】
１  ルーズリーフ綴具
２ａ、２ｂ  基板
２ｃ、２ｄ  摘み部分
３ａ、３ｂ  半リング部分
３ｃ、３ｄ  切欠き部分
４  軸部
５ａ、５ｂ  軸受け筒部
６、２６  コイルばね
６ａ  本体部
６ｂ、６ｃ  脚部
７ａ、７ｂ  引掛け係合部
８ａ、８ｂ  滑り面
９  リングロック手段
１０  内周部分
１１  凸部
１２  突出部
１３  凹部
【図１】
2014205324.tif 000003
【図２】
2014205324.tif 000004
【図３】
2014205324.tif 000005
【図４】
2014205324.tif 000006
【図５】
2014205324.tif 000007
【図６】
2014205324.tif 000008
【図７】
2014205324.tif 000009
【図８】
2014205324.tif 000010
【図９】
2014205324.tif 000011
【図１０】
2014205324.tif 000012